(57)【要約】本発明は流体の圧縮または送出に用いられる四角ピストンシーリング装置に関し、その目的は流体の圧縮または移送に用いられる装置に適用されるシーリング装置の新しい概念で、完璧な気密状態を維持して、装備の安定した作動を保障することができる流体圧縮機に用いられる四角ピストンシーリング装置を提供するにある。このための本発明は、四角形の平面構造で上下左右側面を備えるように形成され、中央部には気密が要求される四角ピストンと接触される四角形の第１孔が形成された第１シーリング部材と；四角形の平面構造で上下左右側面を備えるように形成され、中央部には上記四角ピストンと接触される四角形の第２孔が形成された第２シーリング部材と；上記第１シーリング部材の上部側面と右側面に位置するように配置されて、第１孔の上部側面と右側面が上記四角ピストンの上部側面と右側面にそれぞれ密着して加圧するようにシリンダーハウジングに設置される第１、２弾性手段と；上記第２シーリング部材の下部側面と左側面に位置するように配置されて、第２孔の下部側面と左側面が上記四角ピストンの下部側面と左側面に密着して加圧するようにシリンダーハウジングに設置される第３、４弾性手段と；で構成される流体の圧縮または送出に用いられる四角ピストンシーリング装置に関する。
2011508127.tif 000002
【特許請求の範囲】
【請求項１】
四角形の平面構造で上下左右側面を備えるように形成され、中央部には気密が要求される四角ピストン（１００）と接触される四角形の第１孔（１１１）が形成された第１シーリング部材（１１０）と；
四角形の平面構造で上下左右側面を備えるように形成され、中央部には上記四角ピストン（１００）と接触される四角形の第２孔（１２１）が形成された第２シーリング部材（１２０）と；
上記第１シーリング部材（１１０）の上部側面と右側面に位置するように配置されて、第１孔（１１１）の上部側面と右側面が上記四角ピストン（１００）の上部側面と右側面にそれぞれ密着して加圧するようにシリンダーハウジング（２００）に設置される第１、２弾性手段（１３１、１３２）と；
上記第２シーリング部材（１２０）の下部側面と左側面に位置するように配置されて、第２孔（１２１）の下部側面と左側面が上記四角ピストン（１００）の下部側面と左側面に密着して加圧するようにシリンダーハウジング（２００）に設置される第３、４弾性手段（１３３、１３４）と；で構成されることを特徴とする流体の圧縮または送出に用いられる四角ピストンシーリング装置。
【請求項２】
上記第１、２、３、４弾性手段（１３１、１３２、１３３、１３４）は板を含むことを特徴とする請求項１に記載の流体の圧縮または送出に用いられる四角ピストンシーリング装置。
【発明の詳細な説明】
【技術分野】
【０００１】
本発明は四角ピストンシーリング装置に関し、特に、各種液体や気体などを圧縮または送出するために用いられる四角ピストンとシリンダーハウジングとの間の気密を完璧に維持することができるように構成された流体の圧縮または送出に用いられる四角ピストンシーリング装置に関する。
【背景技術】
【０００２】
一般に、液体や気体などの流体を圧縮したり送出するために用いられる流体圧縮機（送出機）は吸入口及び吐出口が備えられたシリンダーハウジングの内部にピストンが配置されて往復移動するように構成され、ピストンの移動によって、流体を吸い込んだり、または流体を圧縮して送出する。
【０００３】
一方、上記のように、シリンダーハウジングの内部で移動するピストンとシリンダーハウジングとの間に流体が漏れることを防止するために、ピストンとハウジングとの間にはピストンリングが設置され、このようなピストンリングは通常ピストンの円周上に設置されて、ピストンとともに移動するように構成される。
【０００４】
一実施形態として、各種エンジンに使用されるエンジンピストンの場合、燃料が供給されるシリンダーのハウジングの内部で移動して、燃料を圧縮することになり、このような燃料の圧縮の時、ピストンとシリンダーハウジングとの間で流体が漏洩されることを防止するために、ピストンの円周上にはピストンリングが設置されている。
【０００５】
図６は従来のピストンリングの設置された状態を示す平面図を示している。図６によれば、一般に、ピストンリング１０の場合、閉曲線でピストン２０の円周を完全に包むように設置されるのではなく、温度の変化による変形を考慮して両端が会う部分に若干のギャップ３０が形成された構造からなって、完璧な気密状態を維持できないため、通常複数のピストンリングを所定の間隔で設置するが、ギャップが形成された部分が互いにずれるように設置することによって燃料の漏洩を防止するようにしている。
【０００６】
しかし、上記のようなピストンリングは圧縮または流動流体の完璧な気密状態を維持できなくて、流体または気体の漏洩が発生し、また複数個を所定の間隔で互いにずれるように設置しなければならない設置の煩雑さと、ピストンリングの摩耗が発生された場合、燃料の消耗が不必要に増加したり、エンジンの出力が低下される問題点を有している。
【発明の概要】
【発明が解決しようとする課題】
【０００７】
本発明は上記のような問題点を鑑みて創出されたもので、本発明は流体の圧縮または移送に用いられる装置に適用されるシーリング装置の新しい概念で、完璧な気密状態を維持して装備の安定した作動を保障することができるように、流体の圧縮または送出に用いられる四角ピストンシーリング装置を提供することを目的とある。
【発明の効果】
【０００８】
本発明は、第１、２シーリング部材が第１、２、３、４弾性手段によって弾力的に支持されたまま、四角ピストンの異なる部分の気密状態を維持することによって、単純な構造で完璧な気密状態を保障することができるようになった。さらに、シーリング部材に摩耗が発生した場合にも、気密状態を安定的に維持することができるので、消耗性部品であるシーリング部材の寿命を延長させることができるようになった。
【図面の簡単な説明】
【０００９】
【図１】本発明の好ましい実施形態によるシーリング装置の斜視図。
【図２】本発明の第１シーリング部材が設置された状態を示した正面図。
【図３】本発明の第２シーリング部材が設置された状態を示した正面図。
【図４】本発明によるシーリング装置が流体圧縮機が設置された状態を示した断面図。
【図５】図４のＡ部分の詳細図。
【図６】従来のピストンリングが設置された状態を示した平面図。
【発明を実施するための最良の形態】
【００１０】
本発明は、各種液体を圧縮または送出するために用いられる四角ピストンシーリング装置に関する。本発明は、四角形の平面構造で上下左右側面を備えるように形成され、中央部には気密が要求される四角ピストンと接触される四角形の第１孔が形成された第１シーリング部材と；
【００１１】
四角形の平面構造で上下左右側面を備えるように形成され、中央部には上記四角ピストンと接触する四角形の第２孔が形成された第２シーリング部材と；
上記第１シーリング部材の上部側面と右側面に位置するように配置されて、第１孔の上部側面と右側面が上記四角ピーストンの上部側面と右側面にそれぞれ密着して加圧するようにシリンダーハウジングに設置される第１、２弾性手段と；
上記第２シーリング部材の下部側面と左側面に位置するように配置されて、第２孔の下部側面と左側面が上記四角ピーストンの下部側面と左側面に密着して加圧するようにシリンダーハウジングに設置される第３、４弾性手段と；
で構成される流体の圧縮または送出に用いられる四角ピストンシーリング装置を特徴とする。
【００１２】
上記のような特徴を有する本発明のシーリング装置は、四角形の断面形状を有する四角ピストンと、この四角ピストンに対応するように形成されたシリンダーハウジングの間の気密のために用いられるもので、第１シーリング部材の第１孔に備えられた二つの側面と第２シーリング部材の第２孔に備えられた二つの側面が四角ピストンの上下左右側面に密着して、完璧な気密状態を維持するように構成され、第１、２シーリング部材に摩耗が発生する場合、第１、２シーリング部材が第１、２、３、４弾性手段によって素材とさらに密着されることによって、シーリング部材の摩耗による流体または気体の漏洩を防止するように構成される。
【００１３】
以下、本発明の好ましい実施形態を添付された図面を参照に詳しく説明すれば下記の通りである。
【００１４】
本発明を説明するにおいて、関連する公知の機能または構成に対する具体的な説明が本発明の要旨を曖昧にする虞があると判断される場合、その詳細な説明は省略する。
【００１５】
図１は本発明の好ましい実施形態によるシーリング装置の斜視図を示しており、図２は本発明の第１シーリング部材が設置された状態を示した正面図を示しており、図３は本発明の第２シーリング部材が設置された状態を示した正面図を示している。図１乃至図３によれば、本発明の好ましい実施形態による四角ピストンシーリング装置は、第１シーリング部材１１０と、第２シーリング部材１２０と、第１、２、３、４弾性手段１３１、１３２、１３３、１３４とで構成される。このようなシーリング装置は、第１シーリング部材１１０が第１、２弾性手段１３１、１３２によって弾力的に支持されて、四角ピストン１００の一部に対する気密状態を維持し、第２シーリング部材１２０が第３、４弾性手段１３３、１３４によって弾力的に支持されて、四角ピストン１００の残り部分に気密を維持するように構成されるもので、それぞれの構成要素に対して具体的に説明すれば下記の通りである。
【００１６】
上記第１シーリング部材１１０は、上下部側面１１０ａ、１１０ｂと左右側面１１０ｃ、１１０ｄを有する四角形の平板状に形成され、中央部には四角ピストン１００が貫通する空間を提供して四角ピストン１００と接触される四角形の第１孔１１１が形成されている。
【００１７】
上記第２シーリング部材１２０は、上下部側面１２０ａ、１２０ｂと左右側面１２０ｃ、１２０ｄを有する四角形の平板状に形成され、中央部には気密が要求される四角ピストン１００が挿入される空間を提供して、四角ピストン１００と接触される四角形の第２孔１２１が形成されている。
【００１８】
上記第１、２弾性手段１３１、１３２は、第１シーリング部材１１０を弾力的に支持するもので、上記第１弾性手段１３１は、第１シーリング部材１１０の上部側面１１０ａに位置するように配置され、上記第２弾性手段１３２は、第１シーリング部材１１０の右側面１１０ｄに位置するように配置されている。このように第１シーリング部材１１０の上部側面１１０ａと右側面１１０ｄに配置された第１、２弾性手段１３１、１３２によって、第１孔１１１の上部側面１１１ａと右側面１１１ｄが四角ピストン１００に密着されて、四角ピストン１００の一部に対する気密状態を維持することができる。
【００１９】
上記第３、４弾性手段１３３、１３４は、第２シーリング部材１２０を弾力的に支持するもので、上記第３弾性手段１３３は、第２シーリング部材１２０の下部側面１２０ｂに位置するように配置され、上記第４弾性手段１３４は、第２シーリング部材１２０の左側面１２０ｃに位置するように配置されている。このように第２シーリング部材１２０の下部側面１２０ｂと左側面１２０ｃに配置された第３、４弾性手段１３３、１３４によって、第２孔１２１の下部側面１２１ｂと左側面１２１ｃが四角ピストン１００に密着されて、四角ピストン１００の残り部分に対する気密状態を維持することができる。
【００２０】
一方、上記第１シーリング部材１１０と第２シーリング部材１２０は互いに密着するように配置されて、第１、２シーリング部材１１０、１２０の間に流体または気体が漏洩されることを防止するように構成され、上記第１、２、３、４弾性手段１３１、１３２、１３３、１３４としては板バネが用いられる。
【００２１】
図４は本発明による板バネ装置が流体圧縮器に設置された状態を示す断面図を示しており、図５は図４のＡ部の詳細図を示している。図４及び図５によれば、本発明によるシーリング装置を構成する第１シーリング部材１１０と第２シーリング部材１２０及び第１、２、３、４弾性手段１３１、１３２、１３３、１３４は、四角ピストン１００が設置されるピストンハウジング２００に備えられた設置部２１０に設置される。この時、第１シーリング部材１１０の第１孔１１１の第１、２弾性手段１３１、１３２によって、四角ピストン１００の上部側面と右側面に密着されて、四角ピストン１００の上部側面と右側面に対する気密状態を維持し、第２シーリング部材１２０の第２孔１２１が第３、４弾性手段１３３、１３４によって四角ピストン１００の下部側面と左側面に密着されることによって、四角ピストン１００の下部側面と左側面に対する気密状態を維持する。
【００２２】
一方、長時間使用することによって、第１シーリング部材１１０または第２シーリング部材１２０が摩耗された場合にも、第１、２弾性手段１３１、１３２及び第３、４弾性手段１３３、１３４によって、第１シーリング部材１１０及び第２シーリング部材１２０は、四角ピストン１００と密着された状態を維持して気密状態を安定的に維持することができる。
【００２３】
本発明は上述した特定の好ましい実施形態に限定されなく、特許請求の範囲で請求する本発明の要旨を逸脱することなく、当該発明が属する技術分野で通常の知識を有する者であれば誰でも多様な変形実施が可能であることは勿論、そのような変更は請求の範囲の記載の範囲内に属する。
【符号の説明】
【００２４】
１１０：第１シーリング部材  
１２０：第２シーリング部材
１３１：第１弾性手段        
１３２：第２弾性手段
１３３：第３弾性手段        
１３４：第４弾性手段

【図１】
2011508127.tif 000003
【図２】
2011508127.tif 000004
【図３】
2011508127.tif 000005
【図４】
2011508127.tif 000006
【図５】
2011508127.tif 000007
【図６】
2011508127.tif 000008
【国際調査報告】
2011508127.tif 000009
2011508127.tif 000010